(57)【要約】【課題】データ通信の輻輳状態下にあっても通信帯域を有効に確保し得るようにする。【解決手段】無線通信を行う情報端末１Ａと、この情報端末１Ａからの要請で何れか一方が当該情報端末１Ａに切換え接続されるデータ通信網２０及び電話回線網３０を備えたネットワーク通信装置１０とを有し、このネットワーク通信装置１０が、データ通信網２０の一部を構成すると共に前記情報端末１Ａが前記データ通信網２０を利用する場合の通信帯域を設定制御するトラフィックコントロール部１２と、電話回線交換網３０の一部を構成し前記情報端末１Ａから対価の支払いを前提とした帯域優先割当リクエストがあった場合に稼働して前記トラフィックコントロール部１２に対して通信帯域の優先割当を指令する回線信号受信処理部（ＳＭＳ受信部）１３とを備えていること。【選択図】図１
2014143589.tif 000002
【特許請求の範囲】
【請求項１】
無線通信を行う情報端末と、この情報端末からの要請で何れか一方が当該情報端末に切換え接続されるデータ通信網及び電話回線網を備えたネットワーク通信装置とを有するネットワーク通信システムであって、
前記ネットワーク通信装置が、
前記データ通信網の一部を構成し前記情報端末が前記データ通信網を利用する場合の通信帯域を設定制御するトラフィックコントロール部と、
前記電話回線網の一部を構成し前記情報端末から対価の支払いを前提とした帯域優先割当リクエストがあった場合に稼働して前記トラフィックコントロール部に対して通信帯域の優先割当を指令する回線信号受信処理部（ＳＭＳ受信部）と、
を備えていることを特徴としたネットワーク通信システム。
【請求項２】
請求項１に記載のネットワーク通信システムにおいて、
前記トラフィックコントロール部は、前記回線信号受信処理部からの通信帯域の優先割当指令を受信した場合に機能し、前記情報端末のデータ通信時に、当該帯域の優先割当指令に従って当該情報端末に対して前記リクエストにかかる通信帯域を優先的に割り当てる通信帯域優先割当機能を備えていることを特徴としたネットワーク通信システム。
【請求項３】
請求項１又は２に記載のネットワーク通信システムにおいて、
前記ネットワーク通信装置は、前記情報端末からの要請により前記データ通信網又は電話回線網の何れか一方を選択接続する無線ネットワーク制御部を備えていることを特徴としたネットワーク通信システム。
【請求項４】
請求項１又は２に記載のネットワーク通信システムにおいて、
前記情報端末から前記回線信号受信処理部に入力される対価の支払いを前提とした前記帯域優先割当リクエストは、ＳＭＳ信号によるものとし、前記回線信号受信処理部を電話回線用情報中継機能を備えたＳＭＳ受信部により構成したことを特徴とするネットワーク通信システム。
【請求項５】
請求項２に記載のネットワーク通信システムにおいて、
前記回線信号受信処理部に、前記情報端末を介してユーザが利用した通信量に応じた通信料金を計算する課金処理部を付設すると共に、
この課金処理部が、
前記回線信号受信処理部から前記トラフィックコントロール部に向けて出力される帯域優先割当指令を同時に入力すると共に、前記トラフィックコントロール部で割り当てられる優先帯域にかかる情報を入力して当該優先帯域使用時の通信料金を計算する優先帯域通信料計算機能を備えていることを特徴としたネットワーク通信システム。
【請求項６】
請求項５に記載のネットワーク通信システムにおいて、
前記トラフィックコントロール部は、
前記情報端末にかかる各ユーザの制御レベルとこれに対応する割当優先度とを管理する制御レベル管理テーブル（Ｔ０１）と、前記各ユーザの制御レベルと実際に割り当てる帯域とを関連付ける帯域割当管理テーブル（Ｔ０２）とを有し、
この二つの管理テーブルに基づいて前記情報端末にかかる各ユーザの制御レベルに応じた前記優先帯域を決定する優先帯域決定機能を備えていることを特徴としたネットワーク通信システム。
【請求項７】
請求項６に記載のネットワーク通信システムにおいて、
前記課金処理部は、
前記各ユーザが前記情報端末を介して出力する帯域優先割当リクエストに設定された帯域制御レベルとユーザＩＤとの関係を管理する割当リクエスト管理テーブル（Ｔ０３）と、前記各ユーザの制御レベルに応じた通信料金計算用として特定されたパケット単価管理テーブル（Ｔ０４）とを有し、
この二つの管理テーブルに基づいて前記情報端末にかかる各ユーザの帯域制御レベルに応じた料金設定を行う料金設定処理機能を備えていることを特徴としたネットワーク通信システム。
【請求項８】
無線通信を行う情報端末からの要請で当該情報端末に切換え接続されるデータ通信網及び電話回線交換網を備えた装置本体部を有すネットワーク通信装置であって、
前記装置本体部が、
前記情報端末からの要請により前記データ通信網又は電話回線交換網の何れか一方を選択接続する無線ネットワーク制御部と、
前記データ通信網の一部を構成し前記情報端末が前記データ通信網を利用する場合の通信帯域を設定制御するトラフィックコントロール部と、
前記電話回線網の一部を構成し前記情報端末から対価の支払いを前提とした帯域優先割当リクエストがあった場合に稼働して前記トラフィックコントロール部に対して通信帯域の優先割当を指令する回線信号受信処理部（ＳＭＳ受信部）と、
を備えていることを特徴としたネットワーク通信装置。
【請求項９】
無線通信を行う情報端末と、この情報端末からの要請で切換え接続されるデータ通信網及び電話回線網を有するネットワーク通信装置とを備えたネットワーク通信システムにあって、
前記情報端末から対価の支払いを前提とした帯域優先割当リクエストがあった場合に稼働し前記電話回線網の一部を成す回線信号受信処理部が当該帯域優先割当リクエストを受信し、
次に、この帯域優先割当リクエストを受信した回線信号受信処理部は、当該リクエストに基づいて帯域優先割当指令を生成すると共にこれを前記データ通信網の一部を構成し通信帯域の優先割当を決定するトラフィックコントロール部に送信し、
このトラフィックコントロール部が、前記帯域優先割当指令に従って機能し前記情報端末のデータ通信時に前記リクエストにかかる通信帯域を優先的に割り当てることを特徴としたネットワーク通信方法。
【請求項１０】
無線通信を行う情報端末からの要請で当該情報端末に切換え接続されるデータ通信網及び電話回線網を備えた装置本体部を有すネットワーク通信装置にあって、
前記情報端末からの要請により前記データ通信網又は電話回線網の何れか一方を選択接続する無線ネットワーク切換え制御機能、
前記データ通信網の一部を構成し前記情報端末が前記データ通信網を利用する場合の通信帯域を決定する通信帯域設定処理機能、
および前記電話回線網の一部を構成し前記情報端末から対価の支払いを前提とした帯域優先割当リクエストがあった場合に稼働して前記通信帯域設定処理機能に対して通信帯域の優先設定を指令する帯域優先設定指令機能、
を設け、これらの各機能を前記装置本体部が備えているコンピュータに実現させるようにしたことを特徴としたネットワーク通信用制御プログラム。
【発明の詳細な説明】
【技術分野】
【０００１】
本発明は、ネットワーク通信システムに係り、特に無線データ通信を行う無線情報端末に対して通信帯域の割り当てを行うネットワーク通信システム、ネットワーク通信装置、ネットワーク通信方法、及びその通信用制御プログラムに関する。
【背景技術】
【０００２】
スマートフォンに代表されるデータ通信を伴う情報端末が加速度的に普及してきている。これらの情報端末はガラケーやその他の通信端末に比べてユーザが取得できる情報量が膨大となることが特徴であり、その情報量に応じて利用されるネットワーク通信量も増加してきている。
【０００３】
また、スマートフォンやアイフォーンに代表されるモバイル情報端末は、パソコンと同程度の処理能力を有する。このため、モバイル情報端末にて表示可能なコンテンツも充実してきている。
【０００４】
充実したコンテンツをデータ通信網を介してモバイル情報端末に送信し情報端末で表示する場合、コンテンツの内容の豊富さからデータ通信量も膨大なものとなる。
【０００５】
ところで、データ通信網で割り当てられる帯域は有限である。通信網を使用する人（ユーザ）が集中する場所や時間帯では、輻輳が発生する。
【０００６】
このため、都市部の繁華街やターミナル駅といった多くの利用者が集中するような場所や多くのユーザの情報端末の使用が特定の時間に集中する状況（花火大会の会場など）では、データ通信網で輻湊が生じるため、十分なデータ通信を行うことができない、といった状態が発生してしまう不都合があった。
【０００７】
これに対する関連技術として、ユーザからの要求に応じて通信資源の確保を行い、ネットワーク全体に共通するような優先度を設けて、不特定多数のユーザに通信資源を配分するシステムが知られている（特許文献１）。
又、輻輳の発生を回避しつつ通信資源の使用率を平均化し且つその使用率に応じた通信料金を設定するシステムが知られている（特許文献２）。更に、通信回線の利用に対してユーザに正当な課金が可能な課金システムが知られている（特許文献３）。
【先行技術文献】
【特許文献】
【０００８】
【特許文献１】特許第３５８２９７９号
【特許文献２】特開２０１０−０９８６３９号公報
【特許文献３】特開２００３−０７８５２３号公報
【発明の概要】
【発明が解決しようとする課題】
【０００９】
しかしながら、上記特許文献１に記載の関連技術では、データ通信網を利用してデータ通信網の帯域を確保しようとする手法であり、データ通信網における輻湊の発生した状況等については何らの考慮もなされていない。又、上記特許文献１，２の記載内容にあっては、主に使用率に応じた通信料金の設定、および通信料金の正当な設定に関する内容が開示されており、輻湊状態の発生と帯域確保に必要なリクエスト送信との関連性については何らの開示もなされていない。
【００１０】
このため、これらの関連技術には、帯域確保に必要なリクエスト送信に際して輻湊状態の発生によりこれを通知することができないといった不都合が生じ、その改善策については何らの開示もなされてはいない。
【００１１】
［発明の目的］
本発明は、上記関連技術の有する不都合を改善し、データ通信網が混雑している状況下でも特定の通信端末が通信帯域を優先して確保することを可能としたネットワーク通信システム、ネットワーク通信装置、ネットワーク通信方法、およびその通信要制御プログラムを提供することを、その目的とする。
【課題を解決するための手段】
【００１２】
上記目的を達成するために、本発明に係るネットワーク通信システムは、無線通信を行う情報端末と、この情報端末からの要請で何れか一方が当該情報端末に切換え接続されるデータ通信網及び電話回線網を備えたネットワーク通信装置とを有するネットワーク通信システムであって、
前記ネットワーク通信装置が、前記データ通信網の一部を構成し前記情報端末が前記データ通信網を利用する場合の通信帯域を設定制御するトラフィックコントロール部と、
前記電話回線網の一部を構成し前記情報端末から対価の支払いを前提とした帯域優先割当リクエストがあった場合に稼働して前記トラフィックコントロール部に対して通信帯域の優先割当を指令する回線信号受信処理部（ＳＭＳ受信部）とを備えている、という構成を採っている。
【００１３】
又、本発明にかかるネットワーク通信装置は、無線通信を行う情報端末からの要請で当該情報端末に切換え接続されるデータ通信網及び電話回線網を備えた装置本体部を有する。
そして、上記装置本体部が、前記情報端末からの要請により前記データ通信網又は電話回線網の何れか一方を選択接続する無線ネットワーク制御部と、前記データ通信網の一部を構成し前記情報端末が前記データ通信網を利用する場合の通信帯域を設定制御するトラフィックコントロール部と、前記電話回線網の一部を構成し前記情報端末から対価の支払いを前提とした帯域優先割当リクエストがあった場合に稼働して前記トラフィックコントロール部に対して通信帯域の優先割当を指令する回線信号受信処理部（ＳＭＳ受信部）とを備えている、という構成を採っている。
【００１４】
又、本発明にかかるネットワーク通信方法は、無線通信を行う情報端末と、この情報端末からの要請で切換え接続されるデータ通信網及び電話回線交換網を有するネットワーク通信装置とを備えたネットワーク通信システムにあって、
前記情報端末から対価の支払いを前提とした帯域優先割当リクエストがあった場合に稼働し前記電話回線網の一部を成す回線信号受信処理部が当該帯域優先割当リクエストを受信し、
次に、この帯域優先割当リクエストを受信した回線信号受信処理部は、当該リクエストに基づいて帯域優先割当指令を生成すると共にこれを前記データ通信網の一部を構成し通信帯域の優先割当を決定するトラフィックコントロール部に送信し、
このトラフィックコントロール部が、前記帯域優先割当指令に従って機能し前記情報端末のデータ通信時に前記リクエストにかかる通信帯域を優先的に割り当てる、という構成を採っている。
【００１５】
又、本発明にかかるネットワーク通信用制御プログラムは、無線通信を行う情報端末からの要請で当該情報端末に切換え接続されるデータ通信網及び電話回線網を備えた装置本体部を有すネットワーク通信装置にあって、
前記情報端末からの要請により前記データ通信網又は電話回線網の何れか一方を選択接続する無線ネットワーク切換え制御機能、
前記データ通信網の一部を構成し前記情報端末が前記データ通信網を利用する場合の通信帯域を決定する通信帯域設定処理機能、
および前記電話回線網の一部を構成し前記情報端末から対価の支払いを前提とした帯域優先割当リクエストがあった場合に稼働して前記通信帯域設定処理機能に対して通信帯域の優先設定を指令する帯域優先設定指令機能、
を設け、これらの各機能を前記装置本体部が備えているコンピュータに実現させるようにしたこと、という構成を採っている。
【発明の効果】
【００１６】
本発明は、以上のように構成され機能するので、これによると、電話回線交換網の一部を利用してデータ通信の帯域の優先確保を要請するように構成したので、データ通信網が混雑している状況下でも特定の通信端末が優先してデータ通信可能な帯域を確保することができるという関連技術にない優れたネットワーク通信システム、ネットワーク通信装置、ネットワーク通信方法、およびその通信制御プログラムを提供することができる。
【図面の簡単な説明】
【００１７】
【図１】本発明にかかるネットワーク通信システムの一実施形態における基本形構成を示すブロック図である。
【図２】本発明にかかるネットワーク通信システムの一実施形態における具体的構成を示すブロック図である。
【図３】図２の実施形態における情報端末にかかるユーザの制御レベルにかかる情報を示す図表であり、図３（Ａ）はユーザ毎の制御レベルを特定する制御レベル管理テーブル（Ｔ０１）の一例を示す図表、図３（Ｂ）は制御レベルと実際の割当帯域とを関連付ける帯域割当管理テーブル（Ｔ０２）の一例を示す図表である。
【図４】図２の実施形態にあってユーザに優先的に帯域を割り当てた場合の帯域制御レベルとそのユーザとの対応関係を示す図表であり、図４（Ａ）はユーザＩＤおよび電話番号を管理する帯域割当てリクエスト管理テーブル（Ｔ０３）の一例を示す図表、図４（Ｂ）は各制御レベルに対応した通信料金が特定されたパケット単価管理テーブル（Ｔ０４）の一例を示す図表である。
【図５】図２に開示したネットワーク通信処理部における動作処理ステップを示すシーケンスチャートである。
【図６】図２に開示した課金処理部にかかる情報を示す図表であり、図６（Ａ）はＳＭＳ受信部から課金処理部に通知される制御レベル変更通知（Ｓ０３）の例を示す図表、図６（Ｂ）は図２に開示した課金処理部が保持するリクエスト管理テーブル（Ｔ０３）の一例を示す図表である。
【図７】図５におけるユーザの制御レベルに関連した情報を示す図表であり、図７（Ａ）はレベル変更要求（Ｓ０５）の内容例を示す図表、図７（Ｂ）はユーザＩＤをＩＰアドレスとした場合の制御レベル管理テーブル（Ｔ０１）の内容の例を示す図表、図７（Ｃ）は帯域制御レベルを４段階とした場合の帯域割り当て管理テーブル（Ｔ０２）の一例を示す図表である。
【図８】図５において制御レベル変更処理にかかる情報を示す図表であり、図８（Ａ）は制御レベル変更処理（Ｓ０６）にて更新された制御管理テーブル（Ｔ０１／更新）の一例を示す図表、図８（Ｂ）は図５において制御レベル更新処理（Ｓ０８）にて更新された制御管理テーブル（Ｔ０３／更新）の一例を示す図表である。
【図９】図２の実施形態に開示した課金処理部にかかる情報を示す図表であり、図９（Ａ）は課金処理部が保持するパケット単価管理テーブル（Ｔ０４）の一例を示す図表、図９（Ｂ）は課金処理部が保持するリクエスト管理テーブル（Ｔ０３）の一例を示す図表である。
【発明を実施するための形態】
【００１８】
次に、本発明にかかるネットワーク通信システムの一実施形態を図１乃至図９に基づいて説明する。
最初に、基本的構成内容を説明し、その後に具体的内容を詳述する。
【００１９】
〔基本的な構成〕
本実施形態において、ネットワーク通信システム１は、図１に示すように、無線通信を行う情報端末１Ａと、この情報端末１Ａからの要請で何れか一方が当該情報端末１Ａに切換え接続されるデータ通信網２０及び電話回線交換網（電話回線網のこと）３０を一部含んだネットワーク通信装置１０とを備えている。
【００２０】
このネットワーク通信装置１０は、上記データ通信網２０の一部を構成し前記情報端末１Ａが上記データ通信網２０を利用する場合の通信帯域を設定制御するトラフィックコントロール部１２と、上記電話回線交換網３０の一部を構成し前記情報端末１Ａから対価の支払いを前提とした帯域優先割当リクエストがあった場合に稼働して前記トラフィックコントロール部１２に対して通信帯域の優先設定を指令する回線信号受信処理部（ＳＭＳ受信部）１３と、を備えている。
【００２１】
そして、上記トラフィックコントロール部１２は、前記回線信号受信処理部１３からの帯域優先割当指令を受信した場合に機能し、前記情報端末１Ａのデータ通信時に、当該帯域優先割当指令に従って当該情報端末１Ａに対して前記リクエストにかかる通信帯域を優先的に割り当てる通信帯域優先割当機能１２Ａを備えている。
【００２２】
更に、このネットワーク通信装置１０は、前記情報端末１Ａからの要請により前記データ通信網２０又は電話回線交換網３０の何れか一方を選択接続する無線ネットワーク制御部１１を備えている。
【００２３】
ここで、前記情報端末１Ａから前記回線信号受信処理部１３に入力される帯域優先割当リクエストは、ＳＭＳ（ショートメッセージサービス）信号によるものとする。又、前記回線信号受信処理部（ＳＭＳ受信部）１３は、本実施形態では、電話回線用情報中継機能１３Ａを備えている。
又、この図１にあっては、上記無線ネットワーク制御部１１とトラフィックコントロール部１２と前記回線信号受信処理部（ＳＭＳ受信部）１３とにより、装置本体部１０Ａが構成されている。
【００２４】
このため、本実施形態にあっては、情報端末１Ａから発信されるデータ通信の帯域を優先的に割り当てる帯域優先割当リクエストを、データ通信網２０を通じて送信するのではなく、ＳＭＳを用いて電話回線交換網３０を通じて且つ対価の支払いを前提として送信するように構成したので、データ通信網２０が輻輳している状況下にあっても、その影響を受けることなく、データ通信の帯域を優先的に割り当てるリクエストを送信することが可能となる。
【００２５】
即ち、ユーザが対価の支払いを前提としているので、無理のない状態で、合理的にデータ通信に用いる通信帯域をしかも優先的に割り当てを得ることが可能となる。
これにより、データ通信網２０が輻輳如何に係わらずデータ通信を円滑に行うことが可能となり、ユーザの満足度向上に寄与得る。
【００２６】
〔具体的な構成〕
以下、これを更に具体的に説明する。
図２は、上記図１に開示した技術的内容を中心にして組み立てた具体的な構成内容を示すブロック図である。
【００２７】
この図２において、ネットワーク通信システム１は、一のユーザが実際に使用する情報端末１Ａと、ユーザが契約している通信事業者が有するネットワーク通信装置（ネットワーク通信設備）１０とを備えている。そして、このネットワーク通信システム１の一部と、ユーザがデータ通信を行うインターネット２１、及びユーザが通話を行う電話回線３１とが、それぞれデータ通信網２０および電話回線網３０を構成するように設定されている。
【００２８】
これにより、ユーザは、利用する情報端末１Ａを用いることにより、データ通信を行う場合はネットワーク通信システム１を介してインターネット２１に接続を行う。
【００２９】
上記ネットワーク通信装置１０は、情報端末１Ａとの無線通信を行うと共に、当該通信種別の判別を行って通信ルートの振り分けを行う無線ネットワーク制御部１１と、ルータ１４を介してインターネット２１に対するデータ通信の帯域制御を行なうトラフィックコントロール部１２とを備えている。
【００３０】
又、このネットワーク通信装置１０は、情報端末１Ａから無線ネットワーク制御部１１を介して送り込まれるショートメッセージ（ＳＭＳ信号）を受信する回線信号受信処理部（ＳＭＳ受信部）１３と、電話回線網３０における電話回線３１に対して通信可能に接続された交換器１５と、トラフィックコントロール部１２を介して行われる情報端末１Ａのデータ通信量に基づきその通信利用料金を計算する課金処理部１６とを備えている。
【００３１】
ネットワーク通信装置１０では、情報端末１Ａがデータ通信を行う場合は、ルータ１５を経由してインターネット２１に接続する。また、情報端末１Ａを用いて電話を行う場合には無線ネットワーク制御部１１および交換機１５を介して電話回線３１に接続する。
【００３２】
情報端末１Ａは、ＳＭＳ受信部１３に対してデータ通信の帯域を優先的に割り当てるためのリクエストメッセージ（帯域優先割当リクエスト／以下「リクエスト」という）をＳＭＳ信号を用いて送信する（通信帯域要求メッセージ送信機能）。
【００３３】
ＳＭＳ受信部１３は、情報端末１ＡからＳＭＳ信号を利用して送り込まれたリクエスト内容に応じて、トラフィックコントロール部１２に対して通信帯域を割り当てる命令を送信する（帯域割り当て命令送信機能）。
【００３４】
また、ＳＭＳ受信部１３は、トラフィックコントロール部１１に対する帯域割り当て命令を送信するのと同時に、受信したリクエスト内容に応じたパケット単価情報を課金処理部１６に送信する（単価情報送信機能）。
【００３５】
ここで、この図２にあっては、上記無線ネットワーク制御部１１と、トラフィックコントロール部１２と、前記回線信号受信処理部（ＳＭＳ受信部）１３と、課金処理部１６とにより、装置本体部１０Ａが構成されている。
【００３６】
上述のように、情報端末１Ａは、データ通信の帯域を優先的に割り当てることを要求するリクエスト（データ通信帯域の割当要求メッセージ）を、データ通信網２０を介して送信するのではなく、ＳＭＳ（ショート・メッセージ・サービス）を用いて、電話回線網３０を介して送信する。
【００３７】
これにより、例えば、データ通信網２０で輻湊が発生している状況下であっても、その影響を受けることなくデータ通信帯域の割当要求メッセージを課金処理部１６、およびトラフィックコントロール部１２に対して確実に通知することが可能となる。
このため、ユーザが対価を支払うことで、その対価に応じたデータ通信に用いる通信帯域を情報端末１０に対して優先的に割り当てることが可能となる。
【００３８】
これにより、例えば、利用する通信帯域を各情報端末毎に、支払い額に応じて優先的に割り当てることができれば、情報端末は対価に応じてスムーズなデータ通信を行うことができる。このため、輻湊が発生するような無線通信状況、通信環境、時間帯等であっても、特定の情報端末においてはデータ通信をスムーズに行うことが可能となる。
【００３９】
無線ネットワーク制御部１１は、情報端末１Ａが利用する通信ルートの振り分け（ルーティング）を行う。
即ち、情報端末１Ａがデータ通信を行う場合は、データ通信網２０を使用するため、データ通信網２０のルートにデータを流し、情報端末１Ａが電話（通話）やＳＭＳ等の回線交換を行う場合は、電話回線網３０を使用するため、回線交換網３０のルートにデータを流すルーティングを行う。
【００４０】
トラフィックコントロール部１２は、インターネット２１を含むデータ通信網２０に流入するデータ流量の制御を行うと共に、各情報端末に対して割り当てられるデータ通信の帯域を制御する。尚、トラフィックコントロール部１２における、帯域を制御する手法は任意であるものとする。
【００４１】
更に、課金処理部１６からの制御信号を受信することで、帯域を制御することが可能となっている。
更に、トラフィックコントロール部１２では、ユーザの制御レベルを管理する制御レベル管理テーブルＴ０１（図３（Ａ）参照）を保持している。ここで、制御レベル管理テーブルＴ０１は、ユーザＩＤと、ユーザに対する帯域割り当ての優先度を管理するためのテーブル情報を示す。
【００４２】
尚、ユーザＩＤは、契約者番号や情報端末１ＡのＩＰアドレス等、利用者を特定できる識別子であればよい。更に、トラフィックコントロール部１２では、制御レベルと実際に割り当てる帯域とを関連付ける帯域割り当て管理テーブルＴ０２（図３（Ｂ）参照）を保持しているものとする。
【００４３】
トラフィックコントロール部１２では、情報端末を用いてデータ通信を行っているユーザＩＤを特定し、制御レベル管理テーブルＴ０１を用いて帯域割り当ての優先度の判定を行う。そして、帯域割り当て管理テーブルＴ０２を用いてその優先度に基づき実際に割り当てる帯域を決定する。
【００４４】
ＳＭＳ受信部１３は、特定の情報端末１Ａに対して優先的に帯域を割り当てるため、情報端末１ＡからＳＭＳ信号を利用して送信されたＳＭＳメッセージとしてのリクエストを受信する。
【００４５】
また、ＳＭＳ受信部１３は、情報端末１ＡからＳＭＳ信号を利用して送り込まれたリクエスト内容に応じて、トラフィックコントロール部１２に対して通信帯域を割り当てる命令を送信する（帯域割当命令送信機能）。
更に、ＳＭＳ受信部１３は、帯域割り当て命令を送信するのと同時に、受信した前記リクエスト内容に応じたパケット単価情報を課金処理部１６に送信する（単価情報送信機能）。
【００４６】
尚、ＳＭＳ信号は電話番号を用いて送信されるため、どのユーザからのリクエストを受信したかを送信元電話番号に基づき判定することができる。
又、ＳＭＳ受信部１３は、ユーザから優先的に帯域を割り当てるためのリクエストを受信した場合、そのリクエストに含まれる帯域制御レベルを課金処理部１６に通知する。
【００４７】
課金処理部（課金計算部）１６は、ユーザが情報端末１Ａを利用した際に、その利用料金を計算する。尚、課金処理部１６で料金計算を行う手法は任意であるものとする。
また、課金処理部１６は、ユーザが優先的に帯域を割り当てるリクエストで設定した帯域制御レベルとそのユーザのユーザＩＤおよび電話番号を管理する帯域割当てリクエスト管理テーブルＴ０３（図４（Ａ））を保持している。
【００４８】
このリクエスト管理テーブルＴ０３では、ユーザを特定するためのユーザＩＤと、そのユーザの電話番号が紐付いている必要がある。
一般的な課金処理部ではユーザに対して情報端末の使用料金を計算するためにこれらの情報を使用しているため、ユーザＩＤと電話番号が紐付いたテーブルを保持することは可能である。
【００４９】
更に、課金処理部１６は、制御レベルに応じて通信料金を計算するために用いるパケット単価管理テーブルＴ０４（図４（Ｂ）参照）を保持している。
尚、図４（Ａ）ではパケット単価管理テーブルＴ０４にて帯域制御レベルに応じたパケット単価を記載している。これは、帯域制御レベルに応じた料金設定を行えればよいので、例えば、料金の乗率などを設定してもよい。
【００５０】
以上の構成により、本実施形態では、データ通信網が輻輳しており、データ通信を行うことができない（又は、遅延が発生しているといった）状況下でも、ユーザの要望に応じた優先的に帯域を割り当てることができるので、情報端末１Ａのユーザは、対価に応じたデータ通信を行うことが可能となる。
【００５１】
例えば、人が集中する繁華街や都市部の駅や電車内では、情報端末を操作している人が多く見られる。その多くの人は情報端末を用いて通話をしているわけではなく、ブラウジングなどのデータ通信を行なっている。
多数のユーザが同時にデータ通信を行った場合には輻輳が発生して、その結果、通信速度が低下し、ユーザは通信品質について不満を抱くが、このような状況下でも、通信速度を保った状態でデータ通信を行うことが可能となる。
【００５２】
また、既にデータ通信網が輻輳している状況でも通信帯域を特定の情報端末に対して優先的に割り当てることが可能となる。
その理由は、帯域を優先的に割り当てるためのリクエストにＳＭＳ信号を用いているためで、データ通信網２０ではなく、電話回線網３０を通じてリクエストを送信しているからである。
【００５３】
［実施形態の動作説明］
最初に、動作の基本的な内容を説明し、続いて具体的な動作内容を詳述する。
【００５４】
図２において、ネットワーク通信システム１の要部を成すネットワーク通信装置１０は、情報端末１Ａから対価の支払いを前提とした帯域優先割当リクエストがあった場合に稼働し、前述した電話回線網３０の一部を成す回線信号受信処理部１３が当該帯域優先割当リクエストを受信する。
【００５５】
この帯域優先割当リクエストを受信した回線信号受信処理部１３は、当該リクエストに基づいて帯域優先割当指令を生成すると共にこれを前記データ通信網２０の一部を構成し通信帯域の優先割当を決定するトラフィックコントロール部１２に送信する。
このトラフィックコントロール部１２は、前記帯域優先割当指令に従って機能し、前記情報端末１Ａのデータ通信時に、前記リクエストにかかる通信帯域を前記情報端末１Ａに優先的に割り当てる。
【００５６】
この場合、情報端末１Ａから前記帯域優先割当リクエストがあった場合には、前記回線信号受信処理部（ＳＭＳ受信部に同じ）１３の受信動作に先立って、予め装備された無線ネットワーク制御部１１が稼働し、前記情報端末１Ａに前記電話回線網３０を選択接続する。
【００５７】
更に、前記ＳＭＳ受信部１３から出力される帯域優先割当指令を、課金処理部１６が入力し、次に、前記トラフィックコントロール部１２で割り当てられる優先帯域にかかる情報を、前記課金処理部１６が入力し、続いて実行される前記情報端末１Ａによる当該優先帯域を使用したデータ通信に際しては、当該優先帯域使用時の通信料金を、前記課金処理部１６が計算するようにした。
【００５８】
以下、これを図５のシーケンスチャートに基づいて、より具体的に説明する。
まず、ユーザが情報端末１ＡよりＳＭＳ受信部１３に対して帯域割当要求（リクエスト）をＳＭＳ信号を利用して送信する（図５：ステップＳ０１）。
このステップＳ０１で送信される帯域割当要求は、送信元である情報端末１Ａに対して優先的に通信帯域を割当てることを要求するためのリクエストメッセージである。
【００５９】
ここで、帯域割当要求（Ｓ０１）の送信は、情報端末１Ａに搭載されているメールアプリケーションからユーザの手動入力にて送信するよりも専用のアプリケーションから送信するように構成してもよい。誤操作による設定ミスを避けるためである。
又、上記帯域割当要求（Ｓ０１）の内容は、ユーザが要求する制御レベルのみでもよいが、これに加えてＳＭＳ受信部１３でリクエスト内容の正誤を確認し得るように、ユーザＩＤや情報端末１Ａの電話番号、時刻情報、チェックサム等に情報を付加してもよい。或いは情報端末１Ａに搭載されている専用のアプリケーションがＢａｓｅ６４等でリクエスト内容をエンコードし、ＳＭＳ受信部１３がデコードしてユーザが要求する制御レベルを取得するような構成としてもよい。
【００６０】
前記ＳＭＳ受信部１３は、帯域割当要求を受信した場合、まず、帯域割当要求に含まれたリクエストの制御内容をチェックする（図５：ステップＳ０２／要求内容チェック処理）。
【００６１】
このとき、ＳＭＳ受信部１３は、要求内容のチェック処理として、情報端末１Ａの電話番号と、ユーザが要求する制御レベルとを取得する。
また、ＳＭＳ受信部１３はリクエスト内容の正誤チェックを行うものとする。尚、リクエスト内容の正誤チェックに関しては、上記の付与された情報やデコードを行うことで判定する。
【００６２】
ここで、ＳＭＳ信号は電話番号に基づきメッセージの送受を行うため、電話番号の取得についてはＳＭＳ信号の送信元から行うものとする。
【００６３】
次いで、ＳＭＳ受信部１３は、帯域割当要求に含まれた電話番号およびユーザが要求する制御レベル（要求制御レベル値）を抽出して課金処理部１６に対して通知する（図５：ステップＳ０３／制御レベル変更通知）。
ここで、ＳＭＳ受信部１３から課金処理部１６に対して送られた制御レベル変更通知の一例を図６（Ａ）に示す。
【００６４】
尚、課金処理部１６は、上述のように、帯域割当リクエスト管理テーブルＴ０３を予め保持している。また、優先的に帯域を割り当てるためのリクエストをユーザが送信していない状態（通常状態という）時では、そのユーザのユーザＩＤに紐付く制御レベルは「０」に設定されているものとする。
【００６５】
また、図６（Ｂ）に、ユーザＩＤをＩＰアドレスとした場合のリクエスト管理テーブルＴ０３の一例を示す。
【００６６】
課金処理部１６は、ＳＭＳ受信部１３から送り込まれた制御レベル変更通知を受信すると、この制御レベル変更通知からユーザの電話番号を抽出し、更にこの電話番号に基づきリクエスト管理テーブルＴ０３の検索を行うことにより、電話番号に対応したユーザＩＤを取得する（図５：ステップＳ０４／ユーザＩＤ取得処理）。
【００６７】
例えば、課金処理部１６が図６（Ａ）の制御レベル変更通知を受信し、図６（Ｂ）のリクエスト管理テーブルＴ０３を予め保持していた場合、上記ユーザＩＤ取得処理にて取得されるユーザＩＤは「１０．１００．１００．１００」であるものとする。
【００６８】
次に、課金処理部１６は、上記ユーザＩＤ取得処理（図５：ステップＳ０４）で取得したユーザＩＤと、ＳＭＳ受信部から受信した制御レベル変更通知Ｓ０３に含まれる制御レベル値を合わせて、制御レベル変更要求を生成すると共に、この制御レベル変更要求をトラフィックコントロール部１２に通知する（図５：ステップＳ０５）。
【００６９】
ここで、制御レベル変更通知（図６（Ａ）参照）を受信したとき、課金処理部１６がリクエスト管理テーブルＴ０３（図６（Ｂ）参照）を予め保持していた場合における、制御レベル変更要求Ｓ０５の一例を図７（Ａ）に示す。
【００７０】
トラフィックコントロール部１２は、上述のように、制御レベル管理テーブルＴ０１を保持しているものとする。
ここで、優先的に帯域を割り当てるリクエストをユーザが送信していない通常状態時では、そのユーザのユーザＩＤに紐付く制御レベルを「０」に設定している。
【００７１】
図７（Ｂ）に、ユーザＩＤをＩＰアドレスとした場合の制御レベル管理テーブルＴ０１の内容の一例を示す。
また、トラフィックコントロール部１２は、帯域割り当て管理テーブルＴ０２も保持している。
【００７２】
ここで、図７（Ｃ）に、帯域制御レベルを４段階（優先的に帯域を割り当てない、優先度小で帯域を割り当てる、優先度中で帯域を割り当てる、優先度大で帯域を割り当てる）とした場合の帯域割り当て管理テーブルＴ０２の一例を示す。
【００７３】
課金処理部１６から送られた制御レベル変更要求に基づきトラフィックコントロール部１２は、ユーザＩＤと制御レベルを取得する。
更に、課金処理部１６は、取得した制御レベルを帯域割り当て管理テーブルＴ０２より検索し、制御レベルに紐付く優先度に応じた帯域制御が可能かを確認する。
【００７４】
ここで、優先度に応じた帯域制御が可能である場合に、トラフィックコントロール部１２は、取得したユーザＩＤのデータ通信について優先度に応じた帯域制御を開始する。
更に制御レベル管理テーブルＴ０１の取得したユーザＩＤに紐付く制御レベルを、取得した制御レベルに更新する（図５：ステップＳ０６／制御レベル変更処理）。
【００７５】
図７（Ａ）と図７（Ｂ）では、トラフィックコントロール部１２にて優先度に応じた帯域制御が可能であり、制御レベル変更処理（図５：ステップＳ０６）にて更新された制御管理テーブルＴ０１の一例を図８（Ａ）に示す。
【００７６】
尚、トラフィックコントロール部１２が、制御レベルに紐付く優先度に応じた帯域制御が可能か否かを確認したときに、帯域制御が不可能と判断した場合は、制御レベル変更処理（図５：ステップＳ０６）は実施されず、制御管理テーブルＴ０１の更新は行われない。
【００７７】
次に、トラフィックコントロール部１２は、課金処理部１６に対して制御レベル変更応答を通知する（図５：ステップＳ０７）。
このとき、トラフィックコントロール部１２にて取得したユーザＩＤに対応する情報端末のデータ通信に対して優先度に応じた帯域制御を開始する。
【００７８】
これにより、トラフィックコントロール装置１２は、制御レベル変更処理Ｓ０６を実施して制御管理テーブルＴ０１の交信を行った場合、制御レベル変更応答の内容をＯＫとして課金処理部１６に対して通知する（図５：ステップＳ０７／ＯＫ通知）。
【００７９】
一方、トラフィックコントロール部１２にて帯域制御が不可能と判断し、制御レベル変更処理Ｓ０６が実施されず、制御管理テーブルＴ０１の更新を行わない場合は、制御レベル変更応答Ｓ０７の内容をＮＧとして課金処理部１６に対して通知する（図５：ステップＳ０７／ＮＧ通知）。
【００８０】
次いで、課金処理部１６は、トラフィックコントロール部１２から送り込まれる制御レベル変更応答の内容を調べる。
ここで、その内容がＯＫ通知（可とする通知）である場合はトラフィックコントロール部１２において該当ユーザの帯域制御が開始されたと判定する。
【００８１】
課金処理部１６は、トラフィックコントロール部１２に対して送信した制御レベル変更要求Ｓ０５の内容に基づきリクエスト管理テーブルＴ０３の内容を更新する（図５：ステップＳ０８／制御レベル更新処理）。
【００８２】
また、課金処理部１６は、リクエスト管理テーブルＴ０３（図６（Ｂ）参照）を予め保持しており、トラフィックコントロール部１２に対して制御レベル変更要求Ｓ０５（図７（Ａ）参照）を送信し、更に、トラフィックコントロール部１２から返信された制御レベル変更応答の内容がＯＫであり、ステップＳ０８の制御レベル変更処理で更新した場合のリクエスト管理テーブルＴ０３の一例を図８（Ｂ）に示す。
【００８３】
一方、トラフィックコントロール部１２より受信した制御レベル変更応答の内容がＮＧであった場合、課金処理部１６は、制御レベル更新処理（図５：ステップＳ０８）を実施しない。即ち、リクエスト管理テーブルＴ０３の更新を行わないものとする。
【００８４】
次に、課金処理部１６は、ＳＭＳ受信部１３に対して制御レベル変更応答を通知する（図５：ステップＳ０９）。
ここで、ステップＳ０７の制御レベル変更応答内容がＯＫであり、ステップＳ０８の制御レベル更新処理でリクエスト管理テーブルＴ０３が更新された場合に、課金処理部１６は、応答内容としてＯＫを示す制御レベル変更応答をＳＭＳ受信部１３に対して通知する（図５：ステップＳ０９／ＯＫ通知）。
【００８５】
一方、制御レベル変更応答Ｓ０７の内容がＮＧであり、制御レベル更新処理Ｓ０８が実施されず、且つリクエスト管理テーブルＴ０３の更新が行われなかった場合は、制御レベル変更応答Ｓ０９の内容をＮＧとしてＳＭＳ受信部１３に通知する（図５：ステップＳ０９／ＮＧ通知）。
【００８６】
次に、ＳＭＳ受信部１３は、課金処理部１６より制御レベル変更応答Ｓ０９を受信した場合に情報端末１Ａに対して帯域割当応答を送信する（図５：ステップＳ１０）。
このとき、受信した制御レベル変更応答の内容がＯＫである場合は、帯域割り当てが許容されたことを示すＯＫ通知としての帯域割当応答を情報端末１Ａに送信する。
【００８７】
一方、受信した制御レベル変更応答Ｓ０９の内容が不可（ＮＧ）である場合は、帯域割り当て不可を示す帯域割当応答（ＮＧ通知）を情報端末１Ａに対して送信する。
次いで、情報端末１Ａは、ＳＭＳ受信部１３から送り込まれた帯域割当応答に基づき優先的に帯域を割り当てるリクエストに対する結果（応答内容）を表示する（図５：ステップＳ１１／帯域割当結果表示処理）。
【００８８】
このとき、帯域割当応答Ｓ１０の内容が通信帯域割当ＯＫを示す場合、情報端末１Ａは、ユーザのリクエスト通りに優先的に帯域が確保されたことを示す内容を、表示画面に出力する。
【００８９】
一方、帯域割当応答の内容が通信帯域割当ＮＧである場合には、ユーザのリクエスト通りには帯域が確保されなかった旨を情報端末１Ａの画面上に表示する。
尚、出力表示は専用のアプリケーションにより行われる設定であってもよい。
【００９０】
ここで、情報端末１Ａに対して、トラフィックコントロール部１２による通信帯域割り当てが行われる。
以後、ユーザは情報端末１Ａは、インターネット２１に対するデータ通信を行う（図５：ステップＳ１２）。尚、その通信量に応じて課金処理部１６は、料金計算を行う。
【００９１】
ここで、課金処理部１６は、情報端末１Ａにおける通信料金の計算を行う際には、リクエスト管理テーブルＴ０３に基づいて各ユーザＩＤを用いて制御レベルを特定する。
【００９２】
次に、課金処理部１６は、その制御レベルからパケット単価管理テーブルＴ０４よりパケット単価を特定し、そのパケット単価とデータ通信で使用されたパケット量に基づき料金計算が行われる。
【００９３】
例えば、課金処理部１６は、Ｔ０４（図９（Ａ）参照）とＴ０３（図９（Ｂ）参照）を保持していた場合、情報端末のＩＰアドレスが「１０．１００．１００．１００」であり、優先的に帯域を割り当てられたユーザが１００パケット分のデータ通信を行った場合、そのデータ通信の通信料金は３１円となる。
【００９４】
ここで、上記した各動作説明については、その実行内容のプログラム化が可能なものについてはこれをプログラム化し、前記ネットワーク通信装置１０が備えているコンピュータに実現させるように構成してもよい。
また、本プログラムは、非一時的な記憶媒体、例えば、ＤＶＤ、ＣＤ、フラッシュメモリなどに記録されてもよい。その場合、本プログラムは当該記憶媒体からコンピュータによって読み出され、実行される。
【００９５】
以上のように、本実施形態では、ユーザが対価を支払い、優先的にネットワーク帯域を確保することで、対価に応じた通信帯域を確保することが可能となる。
これにより、多くの人々が集中するような場所、時間帯、通信が混雑しており通信レベルがユーザが満足できない状況下において、対価を支払ったユーザに対して優先的にネットワーク帯域を確保する、即ち、対価に応じた通信帯域を確保することが可能となる。
【００９６】
また、本実施形態では、回線交換網を通じてリクエストを送信しているため、データ通信網の輻輳状態に左右されず、特定の情報端末、および例えば、契約者としてのユーザに支払った対価に見合った通信品質の高い無線通信環境を提供することが可能となる。
【００９７】
［変形例］
上記実施形態の変形例の一例を、以下に示す。
この変形例では、情報端末１Ａが、データ通信網２０の使用状況を示す情報を取得し、当該情報を情報端末１Ａに予め設けられた表示画面に出力表示するようにしたものである。
【００９８】
具体的には、情報端末１Ａがデータ通信網２０の使用状況を示す情報を取得するアプリケーションを情報端末１Ａ内に搭載することにより実現する。
このアプリケーションは、トラフィックコントロール部１２からデータ通信網２０の使用状況のデータを取得して情報端末１Ａで表示するものとする。
【００９９】
また、トラフィックコントロール部１２は、データ通信網２０の帯域制御（インターネット２１に対する接続帯域制御）を行なっているため、データ通信網２０の使用状況のデータを取得して情報端末１Ａに送信するものとする。
【０１００】
ここで、データ通信網使用状況を表示するためのアプリケーションを別途導入する必要はなく、ＳＭＳ信号の送信を行うアプリケーションと同一のアプリケーションであってもよい。
尚、データ通信網使用状況の出力表示内容は、具体的な数値であってもよいし、混雑度大、混雑度中、混雑度小などの指標であってもよい。
その他の構成およびその作用効果は前述した図１，図２の実施形態と同一となっている。
【０１０１】
このように、上記変形例では、データ通信網使用状況を情報端末１Ａで出力表示することにより、情報端末ユーザに対してより的確な判断材料をユーザに対して提供することが可能となる。
このため、ユーザはデータ通信網の輻輳状況を感覚に依らず判断できることとなる。この場合、ユーザは対価を支払ってデータ通信のための帯域を確保すべきか否かを判断することができる。
【０１０２】
また、この変形例でも、上述の実施形態１、２と同様に、ユーザが対価を支払うことによって対価に応じてユーザの使用する各情報端末１Ａに対して優先的にデータ通信網の帯域を割り当てるようにしてもよい。
このため、データ通信網に輻輳が発生している状況でもデータ通信を行うことができないという状況の発生を有効に軽減することができる。
【０１０３】
また、本実施形態の変形例でも、帯域を優先的に割り当てるためのリクエスト（要求メッセージ）をＳＭＳ信号を利用して送信する。このため、このリクエストを回線交換網を介して送信することができるので、データ通信網における輻輳状況に依らず、予め設定された特定のユーザ端末に対して優先的に通信帯域を割り当てるためのリクエストを送信することができる。
【０１０４】
このため、既に輻輳が発生しデータ通信が困難状況であっても、要求リクエストの内容に応じて、特定の情報端末（各ユーザ）毎の課金状態に応じて使用可能な通信帯域を優先的に割り当てることが可能となる。
【０１０５】
（付記）
上述した実施形態については、その新規な技術的内容の要点をまとめると、以下のようになる。尚、ここにまとめた新規な技術的内容については、本発明をこれに限定するものではない。
【０１０６】
〔付記１〕（独立項／システム）
無線通信を行う情報端末と、この情報端末からの要請で何れか一方が当該情報端末に切換え接続されるデータ通信網及び電話回線網を備えたネットワーク通信装置とを有するネットワーク通信システムであって、
前記ネットワーク通信装置が、
前記データ通信網の一部を構成し前記情報端末が前記データ通信網を利用する場合の通信帯域を設定制御するトラフィックコントロール部と、
前記電話回線網の一部を構成し前記情報端末から対価の支払いを前提とした帯域優先割当リクエストがあった場合に稼働して前記トラフィックコントロール部に対して通信帯域の優先割当を指令する回線信号受信処理部（ＳＭＳ受信部）と、
を備えていることを特徴としたネットワーク通信システム。
【０１０７】
〔付記２〕
付記１に記載のネットワーク通信システムにおいて、
前記トラフィックコントロール部は、前記回線信号受信処理部からの帯域優先割当指令を受信した場合に機能し、前記情報端末のデータ通信時に、当該帯域優先割当指令に従って当該情報端末に対して前記リクエストにかかる通信帯域を優先的に割り当てる通信帯域優先割当機能を備えていることを特徴としたネットワーク通信システム。
【０１０８】
〔付記３〕
付記１又は２に記載のネットワーク通信システムにおいて、
前記ネットワーク通信装置は、前記情報端末からの要請により前記データ通信網又は電話回線網の何れか一方を選択接続する無線ネットワーク制御部を備えていることを特徴としたネットワーク通信システム。
【０１０９】
〔付記４〕
付記１又は２に記載のネットワーク通信システムにおいて、
前記情報端末から前記回線信号受信処理部に入力される対価の支払いを前提とした前記帯域優先割当リクエストは、ＳＭＳ信号によるものとし、前記回線信号受信処理部を電話回線用情報中継機能を備えたＳＭＳ受信部により構成したことを特徴とするネットワーク通信システム。
【０１１０】
〔付記５〕
付記２に記載のネットワーク通信システムにおいて、
前記回線信号受信処理部に、前記情報端末を介してユーザが利用した通信量に応じた通信料金を計算する課金処理部を付設すると共に、
この課金処理部が、
前記回線信号受信処理部から前記トラフィックコントロール部に向けて出力される帯域優先設定にかかる前記指令を同時に入力すると共に、前記トラフィックコントロール部で割り当てられる優先帯域にかかる情報を入力して当該優先帯域使用時の通信料金を計算する優先帯域通信料計算機能を備えていることを特徴としたネットワーク通信システム。
【０１１１】
〔付記６〕
付記５に記載のネットワーク通信システムにおいて、
前記トラフィックコントロール部は、
前記情報端末にかかる各ユーザの制御レベルとこれに対応する割当優先度とを管理する制御レベル管理テーブル（Ｔ０１）と、前記各ユーザの制御レベルと実際に割り当てる帯域とを関連付ける帯域割当管理テーブル（Ｔ０２）とを有し、
この二つの管理テーブルに基づいて前記情報端末にかかる各ユーザの制御レベルに応じた前記優先帯域を決定する優先帯域決定機能を備えていることを特徴としたネットワーク通信システム。
【０１１２】
〔付記７〕
付記６に記載のネットワーク通信システムにおいて、
前記課金処理部は、
前記各ユーザが前記情報端末を介して出力する帯域優先割当リクエストに設定された帯域制御レベルとユーザＩＤとの関係を管理する割当リクエスト管理テーブル（Ｔ０３）と、前記各ユーザの制御レベルに応じた通信料金計算用として特定されたパケット単価管理テーブル（Ｔ０４）とを有し、
この二つの管理テーブルに基づいて前記情報端末にかかる各ユーザの帯域制御レベルに応じた料金設定を行う料金設定処理機能を備えていることを特徴としたネットワーク通信システム。
【０１１３】
〔付記８〕（独立項／装置）
無線通信を行う情報端末からの要請で当該情報端末に切換え接続されるデータ通信網及び電話回線網を備えた装置本体部を有すネットワーク通信装置であって、
前記装置本体部が、
前記情報端末からの要請により前記データ通信網又は電話回線網の何れか一方を選択接続する無線ネットワーク制御部と、
前記データ通信網の一部を構成し前記情報端末が前記データ通信網を利用する場合の通信帯域を設定制御するトラフィックコントロール部と、
前記電話回線網の一部を構成し前記情報端末から対価の支払いを前提とした帯域優先割当リクエストがあった場合に稼働して前記トラフィックコントロール部に対して通信帯域の優先割当を指令する回線信号受信処理部（ＳＭＳ受信部）と、
を備えていることを特徴としたネットワーク通信装置。
【０１１４】
〔付記９〕（方法の発明／付記１対応）
無線通信を行う情報端末と、この情報端末からの要請で切換え接続されるデータ通信網及び電話回線網を有するネットワーク通信装置とを備えたネットワーク通信システムにあって、
前記情報端末から対価の支払いを前提とした帯域優先割当リクエストがあった場合に稼働し前記電話回線網の一部を成す回線信号受信処理部が当該帯域優先割当リクエストを受信し、
次に、この帯域優先割当リクエストを受信した回線信号受信処理部は、当該リクエストに基づいて帯域優先割当指令を生成すると共にこれを前記データ通信網の一部を構成し通信帯域の優先割当を決定するトラフィックコントロール部に送信し、
このトラフィックコントロール部が、前記帯域優先割当指令に従って機能し前記情報端末のデータ通信時に前記リクエストにかかる通信帯域を優先的に割り当てることを特徴としたネットワーク通信方法。
【０１１５】
〔付記１０〕（付記２対応）
付記９に記載のネットワーク通信方法において、
前記情報端末から前記帯域優先割当リクエストがあった場合、前記回線信号受信処理部の受信動作に先立って、予め装備された無線ネットワーク制御部が稼働し、前記情報端末に前記電話回線網を選択接続することを特徴としたネットワーク通信方法。
【０１１６】
〔付記１１〕（付記５対応）
付記９に記載のネットワーク通信方法において、
前記回線信号受信処理部から出力される帯域優先割当指令を、予め装備された課金処理部が入力し、
次に、前記トラフィックコントロール部で割り当てられる優先帯域にかかる情報を、前記課金処理部が入力し、
続いて実行される前記情報端末による当該優先帯域を使用したデータ通信に際しては、当該優先帯域使用時の通信料金を、前記課金処理部が計算するようにしたことを特徴とするネットワーク通信方法。
【０１１７】
〔付記１２〕（付記６対応）
付記９に記載のネットワーク通信方法において、
前記情報端末に対する帯域優先割り当てに際し、
前記トラフィックコントロール部は、まず、予め備えられた制御レベル管理テーブル（Ｔ０１）に基づいて、前記情報端末にかかるユーザの制御レベルを確認して当該制御レベルに対応する割当優先度を特定し、
次に、予め備えられた帯域割当管理テーブル（Ｔ０２）に基づいて、前記ユーザの制御レベルに対応して予め設定された割当て帯域に基づいて前記情報端末に対する優先割り当ての通信帯域を特定することを特徴としたネットワーク通信方法。
【０１１８】
〔付記１３〕（付記７対応）
付記１２に記載のネットワーク通信方法において、
前記情報端末による優先帯域使用時の通信料金の計算に際しては、
まず、予め備えられた割当リクエスト管理テーブル（Ｔ０３）に基づいて、前記情報端末にかかるユーザの帯域制御レベルを特定し、
続いて、この特定された制御レベルに応じた通信料金を、予め設けられたパケット単価管理テーブル（Ｔ０４）に基づいて決定するようにしたことを特徴とするネットワーク通信方法。
【０１１９】
〔付記１４〕（プログラム発明／付記８対応）
無線通信を行う情報端末からの要請で当該情報端末に切換え接続されるデータ通信網及び電話回線網を備えた装置本体部を有すネットワーク通信装置にあって、
前記情報端末からの要請により前記データ通信網又は電話回線網の何れか一方を選択接続する無線ネットワーク切換え制御機能（無線ネットワーク制御部）、
前記データ通信網の一部を構成し前記情報端末が前記データ通信網を利用する場合の通信帯域を決定する通信帯域設定処理機能（トラフィックコントロール部）、
および前記電話回線網の一部を構成し前記情報端末から対価の支払いを前提とした帯域優先割当リクエストがあった場合に稼働して前記通信帯域設定処理機能に対して通信帯域の優先設定を指令する帯域優先設定指令機能（回線信受信処理部）、
を設け、これらの各機能を前記装置本体部が備えているコンピュータに実現させるようにしたことを特徴としたネットワーク通信用制御プログラム。
【０１２０】
〔付記１５〕（付記１２対応）
付記１４に記載のネットワーク通信用制御プログラムにおいて、
前記通信帯域設定処理機能では、
予め備えられた制御レベル管理テーブル（Ｔ０１）に基づいて、前記情報端末にかかるユーザの制御レベルを確認して当該制御レベルに対応する割当優先度を特定する対応優先度特定機能、
および前記ユーザの制御レベルに対応して予め設定された割当て帯域を予め備えられた帯域割当管理テーブル（Ｔ０２）に基づいて前記情報端末に対する優先割り当ての通信帯域を特定する優先割当帯域特定機能、
を備え、これらを前記コンピュータに実現させるようにしたことを特徴としたネットワーク通信用制御プログラム。
【０１２１】
〔付記１６〕（付記１３対応）
付記１５に記載のネットワーク通信用制御プログラムにおいて、
前記情報端末による優先帯域使用時の通信料金の計算に際しては、予め備えられた割当リクエスト管理テーブル（Ｔ０３）に基づいて、前記情報端末にかかるユーザの帯域制御レベルを特定すると共にこの特定された制御レベルに応じた通信料金を、予め設けられたパケット単価管理テーブル（Ｔ０４）に基づいてその単価を決定するようにしたことを特徴とするネットワーク通信用制御プログラム。
【産業上の利用可能性】
【０１２２】
本発明は、音声情報、ファックスデータ、ショートメッセージ等の回線交換網を介して送り込まれた情報形式のリクエストに基づいて、モバイル端末で利用するデータ通信帯域を制御する通信帯域割り当て制御システムに対して有用に適用することができる。
【符号の説明】
【０１２３】
１  ネットワーク通信システム
１Ａ  情報端末
１０  ネットワーク通信装置
１０Ａ  装置本体部
１１  無線ネットワーク制御部（ネットワーク経路振分け部）
１２  トラフィックコントロール部
１２Ａ  通信帯域優先割当機能
１３  回線信号受信処理部（ＳＭＳ受信部）
１３Ａ  電話回線用情報中継機能
１６  課金処理部（課金計算部）
１６Ａ  優先帯域通信料計算機能
２０  データ通信網
２１  インターネット
３０  電話回線網
３１  電話回線
【図１】
2014143589.tif 000003
【図２】
2014143589.tif 000004
【図３】
2014143589.tif 000005
【図４】
2014143589.tif 000006
【図５】
2014143589.tif 000007
【図６】
2014143589.tif 000008
【図７】
2014143589.tif 000009
【図８】
2014143589.tif 000010
【図９】
2014143589.tif 000011